(57)【要約】      （修正有）【課題】一時的に形成した衣服の折り目をしっかりと保持するとともに、着用時の動作によって折り目を保持した状態の折り目保持具の取付位置からのずれを防止して、折り目の位置を維持することが可能な折り目保持具を提供する。【解決手段】折り目保持具１は、衣服に一時的に形成された折り目周辺に挟むことで折り目を挟持する挟持部材１０と、挟持部材を内包して被覆する被覆部材２０と、を備えてなり、被覆部材は、衣服を挟持部材によって挟持した状態において他の衣服に当接する側面に形成された摩擦面２２を有する。【選択図】図１
2020033656.tif 000002
【特許請求の範囲】
【請求項１】
衣服に一時的に形成された折り目を挟持する挟持部材と、該挟持部材を内包して被覆する被覆部材と、を備えてなり、前記被覆部材は、前記挟持部材によって衣服を挟持した状態において他の衣服に当接する側面に形成された摩擦面と、を有することを特徴とする折り目保持具。
【請求項２】
挟持部材は、断面略Ｃ字形状に形成された挟持部と、該挟持部の先端部を衣服の折り目を挟持し得る程度の隙間に開拡するための操作部と、を有することを特徴とする請求項１記載の折り目保持具。
【請求項３】
被覆部材は、略長方形板状の薄板からなり、挟持部材全体を差し込んで内包し得るスリット部と、前記挟持部材の内側の位置に対応する部分に形成された開口部と、を有することを特徴とする請求項１又は２のいずれか一項に記載の折り目保持具。
【発明の詳細な説明】
【技術分野】
【０００１】
本発明は、衣服の折り目を保持するための折り目保持具に関する。
【背景技術】
【０００２】
従来、着用者の体型に合わせるためや装飾として既製の衣服に折り目を一時的に形成し、該折り目を保持するための折り目保持具が提案されている。例えば、特許文献１に記載された考案には、樹脂を材料とする楕円形の薄板２に切り込み溝３が刻設されたタックホルダー１が開示されている。
【０００３】
また、特許文献２に記載された考案には、タック（折り目）をしっかりと保持するために、折り込み器具２を服の端に挟んでから止め具２等でかぶせて固定するものが開示されている。
【先行技術文献】
【特許文献】
【０００４】
【特許文献１】実用新案登録第３１５３６７９号公報
【特許文献２】実開平２―７８５２０号公報
【発明の概要】
【発明が解決しようとする課題】
【０００５】
しかしながら、上記特許文献１に記載された考案は、単に衣服の折り目を形成するように周囲を切り込み溝４に挟み込んで固定するものであり、着用者の動作（とりわけ、腰回りの動き）によって衣服がずれ動くため、タックホルダー１が容易に外れたりして、折り目を保持することできないおそれがあった。
【０００６】
また、特許文献２に記載された考案は、しっかりと折り目を保持することが可能であるが、服の端に固定するものであるため衣服の端から中央付近までに折り目を保持することが難しい欠点を有するものである。
【０００７】
本発明は、衣服に一時的に形成した折り目をしっかりと保持するとともに、着用時の動作によって折り目を保持した状態の折り目保持具の取付位置からのずれを防止して折り目の位置を維持するとともに、折り目保持具を取り付けたシャツ等の上衣が、パンツ等の下衣からのズレ上がり・ズレ落ちを防止すること、が可能な折り目保持具を提供することを目的とする。
【課題を解決するための手段】
【０００８】
上記課題に鑑み、本発明は、一時的に形成された衣服の折り目を挟持する挟持部材と、該挟持部材を内包して被覆する被覆部材と、を備えてなり、該被覆部材は、衣服を挟持部材によって挟持した状態において他の衣服に当接する側面に形成された摩擦面と、を有することを特徴とする。
【０００９】
また、上述した構成に加え、挟持部材は、断面略Ｃ字形状に形成された挟持部と、該挟持部の先端部を衣服の折り目を挟持し得る程度の隙間に開拡するための操作部と、を有することが好ましい。
【００１０】
また、上述した構成に加え、被覆部材は、略長方形板状の薄板からなり、挟持部材全体を差し込んで内包し得るスリット部と、前記挟持部材の内側の位置に対応する部分に形成された開口部と、を有することが好ましい。
【発明の効果】
【００１１】
請求項１記載の発明によれば、衣服に一時的に形成した折り目をしっかりと保持することができ、着用時の動作によって折り目を保持した状態の折り目保持具の取付位置を維持することができる折り目保持具を提供することが可能である。
【００１２】
請求項２記載の発明によれば、着用者に接触して不快感を与え得る形状である角部を有しない構造であるため、折り目保持具を取付けた状態であることを着用者に意識させずに取付けることが可能である。
【００１３】
請求項３記載の発明によれば、挟持部材全体を被覆し得るとともに、挟持部材の形状に沿って変形することが可能である。
【図面の簡単な説明】
【００１４】
【図１】本発明の実施形態に係る折り目保持具の一例を示す斜視図である。
【図２】図１の折り目保持具の操作部の回動動作を示すために被覆部材のみを透過（点線）した、(a)挟持部材の回動動作前の状態、(b)挟持部材の回動動作後の開拡状態を示す正面図、及び、(c)挟持部材の回動動作前の状態を示す側面図である。
【図３】図１の被覆部材を詳細に示す(a)正面図、(b)側面図、及び、(c)平面図である。
【図４】他の実施形態における被覆部材のみを示す(a)正面図、及び、(b)当該被覆部材を挟持部材に装着した状態を示す斜視図である。
【図５】図１の折り目保持具によって衣服の折り目を保持した状態の概念図であり、(a)正面図、(b)側面図、(c)Ｃ―Ｃ線部分拡大断面図である。
【図６】腹回りの正面側にも折り目保持具を取り付けた状態を示す正面概念図である。
【発明を実施するための形態】
【００１５】
本発明の実施形態について図１−５に基づいて詳細に説明する。
【００１６】
(実施形態)
折り目保持具１は、図１−４に示すように、既製の衣服である上衣Ａに一時的に形成された折り目Ｔ周辺に挟むことで折り目を挟持する挟持部材１０と、該挟持部材１０を内包して被覆する被覆部材２０と、を備えてなるものである。
【００１７】
挟持部材１０は、図２に示すように、一時的に形成された衣服の折り目Ｔを挟持するため挟持部１１と、該挟持部１１の先端に隙間Ｓを開拡するための操作部１２と、を有するものである。
【００１８】
挟持部１１は、金属材を主体とする平板を側面から見て丸みを帯びた略逆Ｃ字状に折曲形成してなり、衣服に形成された折り目Ｔを挟持する先端部１１ａ、１１ａと、該先端部１１ａ、１１ａの両側面に操作部１２の軸１２ａ、１２ａを軸受する軸受部１１ｂ、１１ｂと、を有するものである。
【００１９】
操作部１２は、金属材を主体とする棒状体を略Ｕ字状の二股に折曲形成してなり、先端に挟持部１１の軸受部１１ｂ、１１ｂに軸支される２つの軸１２ａ、１２ａとを有するものである。この操作部１２を略逆ハの字状になるように回動操作することによって、挟持部１１の先端部１１ａ、１１ａを衣服に形成された折り目Ｔを少なくとも挟持し得る程度の隙間Ｓを形成するように開拡することができる。また、図２(a)に示すように、操作部１２、１２を平行になるように回動操作することによって、折り目Ｔ付近の衣服を着用者の腹回りのサイズに合わせる折り幅Ｗで張ることができるために、衣服の折り目Ｔを強調して、既製の衣服でも体形に合わせてウエストサイズを細く調整し、より一層見栄えを良くすることができる。
【００２０】
被覆部材２０は、図３に示すように、シリコン樹脂等の合成樹脂材を主体とした素材から形成された柔軟性を有する略長方形板状の薄板からなり、該薄板は、挟持部材全体を差し込んで内包し得るために貫通して形成されたスリット部２１と、挟持部材１０によって衣服の折り目Ｔを挟持した状態において他の衣服に当接する側面に形成された摩擦面２２と、を有するものである。
【００２１】
この摩擦面２２に対して反対側である衣服の折り目Ｔを挟持する際に衣服に当接する面は、衣服の折り目を隙間Ｓに差し込みやすいように、適度な摩擦力を有する平坦面２３と、該平坦面２３上において、上述した挟持部１１の断面略Ｃ字状に沿って変形しうるように、挟持部１１内の略Ｃ字形状の湾曲する内側の位置に対応する部分である中央付近に略方形状の開口部２３ａを設けることが好ましい。
【００２２】
また、摩擦面２２は、規則的に配列された（本実施形態では、等間隔で配置された）略十字形状の溝からなる凹部２２ａ、２２ａと、該凹部２２ａ、２２ａ間の凸部２２ｂ、２２ｂと、からなり、この凹凸の摩擦面２２によって、他の衣服と接触して摩擦力を発生するため、着用者の動作による折り目保持具１の取付位置の上下左右方向へのずれを防止することができ、折り目Ｔの位置を維持することが可能である。
【００２３】
また、他の実施形態の被覆部材２０として、図４に示すように、この被覆部材２０全体の長さは、挟持部材１０全体を被覆する程度の長さを少なくとも有すればよいが、挟持部材１０の全体長さに比べて、被覆部材２０の全体長さを長くして、摩擦面２２の面積を大きくしてより一層強い摩擦力を発揮するようにしてもよい。
【００２４】
次に、上述した構成からなる折り目保持具１の衣服であるシャツ等の上衣Ａの折り目Ｔに挟持させて保持し、他の衣服であるズボンやスカート等の下衣Ｂに差し込んで取付位置を維持する取付方法(S1-S3)について詳細に説明する。
【００２５】
(S1)初めに、折り目Ｔは、シャツ等の上衣Ａの左右の腹回り部分を引っ張った後に、背中側に着用者の腹回りのサイズに合わせるように折り幅Ｗで巻き付けるようにすることで、上衣Ａの両脇部分の位置に、上衣の端から中央付近まで縦長に一時的に形成されるものである。この折り目Ｔによって、正面からみて、上衣Ａの腹回り部分が細く見えるとともにピンっと張った引張り状態となるため、着用者の見栄えを良くすることが可能である。
【００２６】
(S2)ズボン等の下衣Ｂの腰回り部分に重なる付近である上衣Ａの端から中央付近よりやや下方の取付位置において、折り目保持具１の挟持部１１の先端部１１ａを拡開して隙間Ｓを形成するように、操作部１２、１２を逆ハ字状に回動操作した状態を保ちながら折り目Ｔを隙間Ｓから挟持部１１内に滑り込ませた後に、折り目Ｔ周囲を挟持部１１の弾性によって挟持させる。この折り目保持具１によって、上衣Ａの腹回り部分が細く見えるとともにピンっと張った引張り状態を形成するための折り目Ｔを保持することが可能である。このとき、操作部１２、１２を、図２(a)及び図５(c)に示すように、回動して平行に揃えることで、折り目Ｔ周辺の折り幅Ｗを操作部１２、１２間で軽く挟むことにより、折り目Ｔ周辺の少なくとも折り幅Ｗの半分程度の幅を引張り状態にすることができ、より一層着用者の見栄えをよくすることも可能である。
【００２７】
(S3)上衣Ａの折り目Ｔに取付けた状態の折り目保持具１を、下衣Ｂの腰回りに折り目保持具１の被覆部材２０の摩擦面２２が折り幅Ｗ方向に対して平行に当接するにように差し込むことで、着用者の動作（とりわけ、腰回りの動き）の際に、下衣Ｂの腰回りと被覆部材２０の摩擦面２２との摩擦抵抗によって、上衣Ａの両脇の位置に一時的に形成された縦長の折り目Ｔを維持することが可能である。また、折り目保持具１の挟持部１１は、図５(c)に示すように、断面略Ｃ字状の丸みを帯びた曲面形状であるために、着用者に接触して不快感を与え得る角部を有しない形状であるため、折り目保持具１の取付けた状態であることを着用者に意識させずに取付けることが可能である。
【００２８】
また、図６に示すように、折り目Ｔ以外の位置である腹回り正面側の上衣Ａにも折り目保持具１を取付けることで、着用者の動作による上衣Ａのずれを防止することが可能であり、また、とりわけ、折り目保持具１の挟み込む位置を下衣Ｂに装着したベルトＤ直下に位置するように折り目保持具１を挟持させることで、ベルトＤの下端に折り目保持具１が係止されるため、上衣Ａの上下方向のずれをより一層防止することが可能である。
【００２９】
上記の実施形態では本発明の好ましい実施形態を例示したが、本発明は上記の実施形態に限定されるものではなく、特許請求の範囲に記載した範囲内で改善や変更が可能である。例えば、挟持部材１０の挟持部１１は、折り目Ｔを挟持し得る程度の隙間Ｓと、着用者の腰回りに当たっても不快感を与え得る角部を有しないものであればよく、略Ｕ字状等に折曲形成してもよい。また、被覆部材２０の摩擦面２２は、下衣Ｂの腰回りに対して適度な摩擦抵抗を発揮するものであればよく、縦溝や横溝等を組み合わせて形成してもよい。
【符号の説明】
【００３０】
１…折り目保持具、
10…挟持部材、11…挟持部、11a…先端部、11b…軸受部、12…操作部、12a…軸、
20…被覆部材、21…スリット部、22…摩擦面、22a…凹部、22b…凸部、23…平坦面、23a…開口部、
Ａ…上衣、Ｂ…下衣、Ｔ…折り目、Ｗ…折り幅、Ｓ…隙間、Ｄ…ベルト。
【図１】
2020033656.tif 000003
【図２】
2020033656.tif 000004
【図３】
2020033656.tif 000005
【図４】
2020033656.tif 000006
【図５】
2020033656.tif 000007
【図６】
2020033656.tif 000008